【手続補正書】
【提出日】平成19年6月28日(2007.6.28)
【手続補正１】
【補正対象書類名】特許請求の範囲
【補正対象項目名】全文
【補正方法】変更
【補正の内容】
【特許請求の範囲】
【請求項１】
基板収納ボックスに収納された回路基板を備えた遊技機において、
前記基板収納ボックスの構成部品は、透明カバー部品と、箱状部品とを備え、
前記箱状部品は、透明部を有する底面と側壁面と、前記底面に対向する開口面とを備え、該開口面を前記透明カバー部品で閉鎖することで、前記回路基板を収納する空間を創出するとともに、
前記箱状部品の内部には、前記回路基板を取り付ける取付部が設けられ、
前記回路基板の電子部品が実装された実装面を前記箱状部品の底面に対向させた状態で前記開口面から挿入し、前記取付部を用いて前記回路基板を前記箱状部品に取り付けた後に、前記透明カバー部品により前記箱状部品の開口面を閉鎖することで、前記回路基板を前記基板収納ボックスに収納することを特徴とする遊技機。
【手続補正２】
【補正対象書類名】明細書
【補正対象項目名】全文
【補正方法】変更
【補正の内容】
【発明の詳細な説明】
【発明の名称】遊技機
【技術分野】
【０００１】
本発明は、基板収納ボックスに収納された回路基板を備えた遊技機、例えば、パチンコ遊技機やスロットマシンに関するものである。
【背景技術】
【０００２】
従来、パチンコ遊技機やスロットマシンには、多くの回路基板が設けられている。特に、遊技動作を制御する遊技制御回路基板には、マイクロコンピュータを構成するＭＰＵ、ＲＯＭ、ＲＡＭ等の電子部品が多数実装されている。
【発明の開示】
【発明が解決しようとする課題】
【０００３】
本発明の目的とするところは、回路基板の不正工作があったか否かを容易に見極めることができる基板収納ボックスに収納された回路基板を備えた遊技機を提供することにある。
【課題を解決するための手段】
【０００４】
上記した目的を達成するために、本発明が採用した手段を図面を参照して説明すると、図１３に示すように、基板収納ボックス１５０に収納された回路基板２０２を備えた遊技機において、前記基板収納ボックス１５０の構成部品は、透明カバー部品１７０と、箱状部品１５１，１６０とを備え、前記箱状部品１５１，１６０は、透明部を有する底面と側壁面と、前記底面に対向する開口面とを備え、該開口面を前記透明カバー部品１７０で閉鎖することで、前記回路基板２０２を収納する空間を創出するとともに、前記箱状部品１５１，１６０の内部には、前記回路基板２０２を取り付ける取付部１６１が設けられ、前記回路基板２０２の電子部品が実装された実装面を前記箱状部品１５１，１６０の底面に対向させた状態で前記開口面から挿入し、前記取付部１６１を用いて前記回路基板２０２を前記箱状部品１５１，１６０に取り付けた後に、前記透明カバー部品１７０により前記箱状部品の開口面を閉鎖することで、前記回路基板２０２を前記基板収納ボックス１５０に収納することを特徴とするものである。
【発明の効果】
【０００５】
請求項１に係る発明によれば、回路基板２０２の実装面がそれぞれ透明カバー体１７０、透明部を有する底面と側壁面を介して視認し得るので、不正工作があったか否かを容易に見極めることができる。
【発明を実施するための最良の形態】
【０００６】
以下、図面を参照して、本発明の実施形態について説明する。まず、図１及び図２を参照して遊技機の一例の弾球遊技機１の全体の構成について説明する。図１は、実施形態に係る弾球遊技機１の正面図であり、図２は、弾球遊技機１の背面図である。
【０００７】
弾球遊技機１は、縦長な方形状に枠組み形成される外枠２と、該外枠２の一側に開閉自在に軸支され且つ弾球遊技機１の主要構成部のほぼすべてが集約して設けられる枠基体３と、該枠基体３の前面上部に開閉自在に設けられるガラス板保持枠４とから構成されている。また、枠基体３に設けられる主要構成部としては、ガラス板保持枠４、遊技盤４０、上皿１２、灰皿２２を含む下皿１９、操作ハンドル２３、機構板９０、打球発射装置１１３がある。また、図示の実施形態では、弾球遊技機１の側方に遊技者に遊技玉を貸し出すためのユニット装置としてのカードユニット装置３０が付設されている。
【０００８】
ガラス板保持枠４には、後述する遊技盤４０の遊技領域をほぼ透視し得る円形透視窓５が開設され、該円形透視窓５の裏面からガラス板が装着されている。また、ガラス板保持枠４には、円形透視窓５の外周に沿って、その上部に装飾ＬＥＤ７が、その左右両側方に装飾蛍光灯６ａ，６ｂが設けられている。この装飾ＬＥＤ７や装飾蛍光灯６ａ，６ｂは、遊技状態に応じて点灯又は点滅されるものであり、特別の遊技状態の発生時や継続時を遊技者に報知すると共に遊技の雰囲気を盛り上げるものである。また、ガラス板保持枠４の軸支側上部には、払い出すべく景品玉が不足したことを報知する玉切れＬＥＤ８や、入賞玉の発生に基づいて所定個数の景品玉が払い出されたことを報知する払出ＬＥＤ９が設けられ、更に、ガラス板保持枠４の上部左右に遊技の進行に応じた効果音を発生するスピーカ１０ａ，１０ｂが設けられている。上記した構成のうち、装飾ＬＥＤ７や玉切れＬＥＤ８及び払出ＬＥＤ９は、複数のＬＥＤがプリント配線基板上に実装されるように構成されるものであるが、このプリント配線基板を金属ベースプリント配線基板で構成することにより、ＬＥＤから発生される熱の放熱効果を高めることができる。
【０００９】
次に、ガラス板保持枠４の下部で開閉自在に取り付けられる上皿１２の構成について説明すると、上皿１２は、合成樹脂製の上皿開閉板１１の表面に複数の合成樹脂製部材を組合せた皿部材を固着することにより構成されている。上皿開閉板１１には、その開放側の上端に玉抜き操作レバー１６が設けられている。この玉抜き操作レバー１６は、左右方向に移動可能に設けられ、図示しないスプリングの付勢力に抗して一方向に移動させることにより、上皿１２に貯留されていた玉を上皿開閉板１１の裏面に形成される玉抜き路（図示しない）を流下させて下皿１９に誘導するものである。また、上皿１２には、その内部に圧電ブザー１７が内蔵されている。この圧電ブザー１７は、遊技玉の貸出異常が生じたとき（例えば、ピッ、ピッ、ピッという連続音）、あるいは遊技玉の貸出時（例えば、１００円相当の遊技玉が払い出される毎にピーという音）に、その旨を報知する報知音が発生されるものである。
【００１０】
上記した上皿１２について、さらに詳細に説明すると、上皿１２は、その上流側に形成される賞球払出口１４とその下流側に形成される打球供給口１５とを連絡するように貯留整列路１３が形成されており、その貯留整列路１３の中程底面裏面に上皿玉検出器（図示しない）が設けられている。この上皿玉検出器は、上皿１２に残留する打玉を検出するものである。また、上皿１２には、弾球遊技機１に隣接して設けられるカードユニット装置３０を介して遊技玉を借り受ける際に操作する操作部が設けられている。操作部として玉貸スイッチと返却スイッチと自動玉貸スイッチとが設けられ、また、その玉貸スイッチと返却スイッチの側方に度数表示ＬＥＤ及び自動玉貸表示ＬＥＤが設けられている（いずれも図示しない）。
【００１１】
玉貸スイッチは、カードユニット装置３０によって遊技玉を借り受ける際に操作するものであり、返却スイッチ２２は、遊技終了の際にカードユニット装置３０のカード挿入口３３に差し込まれたカードを返却するためのものである。また、度数表示ＬＥＤは、カードユニット装置３０のカード挿入口３３に差し込まれたカードの残額が表示されるものである。また、自動玉貸スイッチは、借り受けるべき遊技玉を前記玉貸スイッチを操作して行うマニュアルモードと、上皿１２の打玉の残量が前記上皿玉検出器によって検出されなくなったときに自動的に遊技玉を払い出す自動モードと、のいずれかのモードに設定するものであり、自動モータが選択設定されているときには、自動玉貸表示ＬＥＤが点灯している。
【００１２】
しかして、後述する遊技盤４０の遊技内容において大当り遊技状態が発生すると、短時間に多量の入賞玉を獲得するチャンスがある。このように大当り遊技状態という遊技者にとって極めて大きなチャンスは、上皿１２の残留玉がほとんどなくなった時点で発生する場合もあり、このような場合、続けて打玉を発射させて打玉を可変入賞球装置４２の特定入賞領域に入賞させる必要があるにも拘らず、打玉が上皿１２に残存しないので、慌てて玉貸スイッチを操作して遊技玉を借り受けなければならない。しかし、玉貸スイッチを操作してから遊技玉が払い出され、しかもその玉が発射されて可変入賞球装置４２の特定入賞領域に到達するまでに多少の時間がかかるため、その時間の間に有利なチャンス（継続権の成立）を逃してしまうという不都合があるが、本実施形態においては、自動玉貸スイッチを自動モードに設定しておけば、上皿玉検出器が打玉の不存在を検出した時点で自動的に遊技玉を上皿１２に払い出すので、上記したような不都合は生じない。なお、上皿１２として上記した制御を行わないならば、上皿玉検出器及び自動玉貸スイッチを省略したものでも良い。
【００１３】
更に、上皿開閉板１１の開放側上部には、前記ガラス板保持枠４を枠基体３に対して施錠し且つ前記枠基体３を外枠に対して施錠する施錠装置を操作するためのシリンダー錠１８が臨んでいる。
【００１４】
また、枠基体３の下部に取り付けられる下皿１９は、前記上皿１２から溢れた賞球であって後述する余剰玉通路１００を介して余剰玉払出口２０から排出される余剰の賞球を貯留するものであり、その下皿１９の前面壁には、玉抜き操作レバー２１がスライド可能に取付けられるようになっている。この玉抜き操作レバー２１を操作することにより、下皿１９に貯留されていた賞球を下方に玉抜きして持ち運び可能な玉箱に移し替えることができる。また、下皿１９の左側には、灰皿２２が設けられ、右側には、操作ハンドル２３が設けられている。操作ハンドル２３は、後述する打球発射装置１１３の発射装置モータ１１４の駆動を開始せしめるメインスイッチ及びタッチアンテナ（共に図示しない）を内蔵していると共に、弾発力を調節するものである。
【００１５】
弾球遊技機１の正面構造は、概ね上記した通りであるが、図示の実施形態では、弾球遊技機１にカードユニット装置３０が隣接されている。このカードユニット装置３０は、前記上皿１２の上面に設けられる前述した操作部を操作することにより作動されるものである。しかして、カードユニット装置３０は、使用可能状態であるか否かを表示する使用可能表示器３１と、当該カードユニット装置３０がいずれの側の弾球遊技機１に対応しているか否かを表示する連結台方向表示器３２と、記録媒体としての磁気カードを挿入するカード投入口３３とが設けられている。そして、このように構成されるカードユニット装置３０は、独自の制御回路によって制御されるものであるが、上皿１２に設けられる玉貸スイッチ、返却スイッチ、及び度数表示ＬＥＤや、後述する払出制御回路基板用ボックス１０７に内蔵される賞球払出制御回路基板と接続されている。なお、カードユニット装置３０を弾球遊技機１に内蔵しても良い。なお、本実施形態においては、遊技者に遊技玉を貸し出すためのユニット装置としてカードユニット装置３０を例示したが、例えば、紙幣等を挿入し得るユニット装置であっても良い。
【００１６】
一方、弾球遊技機１の背面には、図２に示すように、入賞玉の発生に基づいて所定個数の賞球を払い出すための各種の機構を装備した機構板９０が設けられると共に、前記操作ハンドル２３に対応する裏面には、発射装置モータ１１４を有する打球発射装置１１３が固着され、その打球発射装置１１３の側方には、機構板９０の後述する余剰玉通路１００を流下する賞球を前記下皿１９に誘導する接続樋（図示しない）が固着され、その接続樋の側方に前記装飾蛍光灯６ａ，６ｂ、装飾ＬＥＤ７、スピーカ１０ａ，１０ｂ等の表示制御あるいは効果音制御を行う装飾制御基板を収納する装飾制御基板ボックス１１６が装着され、更に、外枠２に対する枠基体３の開放側裏面に外枠２に対する枠基体３の施錠、及び枠基体３に対するガラス板保持枠４の施錠を行う施錠装置１１７が設けられている。なお、前記発射装置モータ１１４の裏側には、打球発射装置１１３の動作を制御するモータ制御基板１１５が取り付けられている。
【００１７】
以上で、弾球遊技機１の全体の概略構成を説明したが、以下、弾球遊技機１を構成する要素のうち、遊技盤４０と、機構板９０の詳細な構成について順次説明する。
【００１８】
まず、図１乃至図９を参照して遊技盤４０について説明する。図１及び図２は、前述した通りであり、図３は、遊技盤４０の背面から見た斜視図であり、図４は、遊技盤４０の背面図であり、図５は、遊技盤４０背面に取り付けられる基板収納ボックス１５０の取付状態を示す断面図であり、図６は、基板収納ボックス１５０とその上部の可変表示装置４１との関係を示す断面図であり、図７は、基板収納ボックス１５０を回動自在に支持する構造を示す側面図であり、図８は、基板収納ボックス１５０の装着状態と装着状態を解除する動作を示す側面図であり、図９は、図５に示す遊技盤と一部異なる構成要素を含んだ遊技盤４０の背面から見た斜視図である。
【００１９】
遊技盤４０の正面構造について図１を参照して説明する。遊技盤４０は、枠基体３の裏面側に一体的に形成される遊技盤収納枠（図示しない）に収納固定されるべく、ほぼ正方形状の合板により形成され、その表面には、円形うず巻き状に誘導レール（図示しない）が取り付けられ、該誘導レールの内側が遊技領域とされて発射された打玉が落下するものである。遊技領域には、図示の場合、ドラム状可変表示装置４１や可変入賞球装置４２やドラム状可変表示装置４１の可変表示を許容する始動入賞口４３が設けられると共に、単に打玉を入賞とする入賞口４４，４５、打玉の流下方向，速度を変化せしめる風車又は多数の障害釘が設けられ、また、遊技領域の最下方には、いずれの入賞領域にも入賞しない打玉が取り込まれるアウト口４６が設けられている。
【００２０】
一方、遊技盤４０の裏面には、図３及び図６に示すように、前記ドラム状可変表示装置４１の回転ドラム４８を収納するドラム収納ボックス４７が突出して設けられている。このドラム収納ボックス４７には、回転ドラム４８と該回転ドラム４８を回転駆動するステッピングモータ４９と回転ドラム４８の絵柄を後方から照明する照明ランプ５０とからなるドラムユニットが複数個収納固定され、その底面外側には、上記したステッピングモータ４９や照明ランプ５０等からの配線を中継する副中継基板５１が保護カバー５３に被覆されて取り付けられている。この副中継基板５１には、コネクタ５２が設けられており、このコネクタ５２に後述する基板収納ボックス１５０に収納される回路基板２０１，２０２からの配線が接続されるようになっている。
【００２１】
また、ドラム収納ボックス４７の裏面には、内部で発生した熱を外部に放熱する放熱板５４が止着されている。この放熱板５４には、その下部一側にボックス係止部材５５が取り付けられている。ボックス係止部材５５は、図３及び図６に示すように、その上端を回動自在に軸支されており、その下端に係止爪５６が形成され、その下部後面に操作突起５８が突設され、常にボックス係止部材５５が前方に付勢されるようにスプリング５７で付勢されている。しかして、このボックス係止部材５５は、後述するように遊技動作を制御する回路基板２０１，２０２を収納する基板収納ボックス１５０が上辺を軸支して垂直方向から水平方向に回動自在に設けられるものであるが、水平方向の回動位置にあるときに基板収納ボックス１５０の透明カバー体１７０のほぼ中央に穿設される掛穴１７７に係合させることにより、基板収納ボックス１５０を水平状態に保持することができるものである。このように水平方向に保持した状態で基板収納ボックス１５０によって覆われている後述する第２入賞玉集合カバー体６０及び第３入賞玉集合カバー体６１の状況を観察することができると共に、後述するように一方の回路基板２０２の電子部品実装面及び２つの回路基板２０１，２０２の裏面を透視することができる。なお、ボックス係止部材５５と掛穴１７７との係合状態を解除するには、操作突起５８を摘んで後方に回動させることにより、その係合状態を解除することができる。
【００２２】
上記したドラム収納ボックス４７の下部を除く周囲には、ドラム状可変表示装置４１の上方に位置する入賞口（本実施形態では、入賞口４５だけ）に入賞した入賞玉を誘導する誘導通路がその前面に形成される第１入賞玉集合カバー体５９が取り付けられ、この第１入賞玉集合カバー体５９に連通するようにその下部に第２入賞玉集合カバー体６０、及び第３入賞玉集合カバー体６１が取り付けられている。
【００２３】
第１入賞玉集合カバー体５９には、その中央に前記ドラム収納ボックス４７が貫通する窓孔６２が形成されると共に、その上辺に配線収納溝６３が形成され、更に、一側後面に主中継基板６４が取り付けられている。主中継基板６４は、前記ドラム状可変表示装置４１以外の遊技盤４０に設けられる電気部品（例えば、各種のスイッチやランプ、あるいはソレノイド等）からの配線と基板収納ボックス１５０内に収納される回路基板２０１，２０２からの配線とを中継するものである。そして、ドラム収納ボックス４７から見て主中継基板６４の反対側に位置する電気部品から延びる配線を前記配線収納溝６３に収納して主中継基板６４に導くものである。
【００２４】
また、図４に示すように、第２入賞玉集合カバー体６０は、その前面側に前記始動入賞口４３に入賞した入賞玉を誘導する始動入賞玉用誘導路壁７１が形成されると共に、第１入賞玉集合カバー体５９から流下する入賞玉、前記始動入賞玉用誘導路壁７１から放出される入賞玉、前記可変入賞球装置４２及び入賞口４４に入賞した入賞玉を下流側に導く入賞玉誘導路壁７３が形成されている。なお、前記始動入賞玉誘導路壁７１の出口には、始動入賞玉検出器７２が設けられ、前記可変入賞球装置４２には、開閉板７７（図５参照）を開閉する開閉板用ソレノイド７４と開閉板７７の開放継続を検出する特定入賞玉検出器７５と開閉板７７への入賞玉数を検出する入賞玉検出器７６とがそれぞれ設けられている。上記した始動入賞玉検出器７２、開閉板用ソレノイド７４、特定入賞玉検出器７５、及び入賞玉検出器７６は、第２入賞玉集合カバー体６０の前面側の空間内に配置されるものであるが、この第２入賞玉集合カバー体６０が内部を透視することができる透明性合成樹脂によって形成されているので、玉詰まりの状況等が外部から容易に見極めることができる。
【００２５】
一方、第２入賞玉集合カバー体６０の後面側には、その上部左右に基板ボックス取付部材６５が取り付けられている。この基板ボックス取付部材６５は、遊技動作を制御する回路基板２０１，２０２を収納する基板収納ボックス１５０の上端を回動自在に軸支するものであり、全体としてＬ字状の一辺に穿設された取付穴６６，６７のいずれかを第２入賞玉集合カバー体６０に形成された止め穴（図示しない）に一致させてビス６８で止着することにより、第２入賞玉集合カバー体６０に固定されるものである。なお、図３に示すように、取付穴６６，６７が縦方向にそれぞれ２つ形成されているが、これは、取り付ける基板収納ボックス１５０の大きさに対応してその取付位置を異ならせて一対の基板ボックス取付部材６５の間隔の大小を形成するためである。
【００２６】
また、基板ボックス取付部材６５の他辺の先端には、回動支持穴６９が形成されている。この回動支持穴６９は、図７に示すように、基板収納ボックス１５０の後述する楕円形状の回動突起１５７を係合させるものであり、回動突起１５７の長径に合致する回動支持穴６９の前方に回動突起１５７の短径と同じ長さの挿入切欠部７０が形成されている。なお、基板ボックス取付部材６５への脱着作用については、後に詳述する。
【００２７】
上記した第２入賞玉集合カバー体６０の下方に取り付けられる第３入賞玉集合カバー体６１の前面側には、第２入賞玉集合カバー体６０の前面側を流下する入賞玉を下流側に導く入賞玉誘導路壁８５が両端部に形成されると共に、遊技盤４０のアウト口４６の下部に刻設されるアウト玉通路８３の裏面開放部を覆うアウト玉通路被覆凹部８２が形成されている。アウト玉通路被覆凹部８２は、図５に示すように、アウト口４６の裏面下部にパチンコ玉の直径よりやや深い深さとなるように刻設されたアウト玉通路８３の裏面を閉塞するものであり、その両端部にアウト玉通路８３の側壁に沿った通路壁突片８４が下流部まで突設され、更に、アウト玉通路被覆凹部８２の上端に入賞玉誘導振分突起８８が突設されている。なお、第３入賞玉集合カバー体６１は、図４に示すように、入賞玉誘導路壁８５の先端に適宜間隔を置いて突設される位置決め突起８６を遊技盤４０の裏面に形成される位置決め穴に挿入することにより、一義的に取付位置が決められ、その後、入賞玉の流路に影響のない位置に突設される取付ボス（図示しない）にネジ８７で止着することにより、遊技盤４０の裏面に固着される。取付ボスとネジ８７による固着構造は、上記した第１入賞玉集合カバー体５９及び第２入賞玉集合カバー体６０についても同様である。
【００２８】
しかして、第３入賞玉集合カバー体６１の前面側を流下する入賞玉は、入賞玉誘導路壁８５の内側を流下すると共にアウト口４６の上方から流下してきた入賞玉は、入賞玉誘導振分突起８８によって左右に振り分けられて流下する一方、アウト口４６から排出された玉は、アウト玉通路８３を下流側に向かって流下する。この際、アウト玉通路８３の両側壁が通路壁突片８４によって被覆されているので、アウト玉の流下がスムーズに行われる。
【００２９】
また、第３入賞玉集合カバー体６１の後面下部には、基板ボックス係止部材７８が一体的に形成されている。この基板ボックス係止部材７８は、前記した基板ボックス取付部材６５に回動自在に支持される基板収納ボックス１５０の下部を固定するものであり、その中央に弾性変形し得る弾性操作片７９が設けられ、その弾性操作片７９に上向きに突設される係合突起８０を基板収納ボックス１５０の長手方向側面中央に穿設される係止穴１５８に係合させることにより、基板収納ボックス１５０の下部を固定するものである。また、基板ボックス係止部材７８の両端には、係合突起８０を係止穴１５８に係合させた状態で基板収納ボックス１５０の底面と当接する支持片８１が突設されている。なお、この第３入賞玉集合カバー体６１も透明性合成樹脂で形成されており、外部から内部が視認できるようになっている。
【００３０】
次に上記した基板収納ボックス１５０を取り付ける基板ボックス取付部材６５及び基板ボックス係止部材７８の作用について説明する。まず、図７に示すように、基板収納ボックス１５０を水平となるように持って楕円形状の回動突起１５７の短径を挿入切欠部７０に挿入し（矢印ａ）、完全に挿入した位置で下方に向かって回動させることにより、回動突起１５７が回動支持穴６９内で回動する。そして、図８（Ａ）に示すように、基板収納ボックス１５０の下部中央をｃ方向に押圧することにより、弾性操作片７９が弾性変形して係合突起８０が係止穴１５８に係合する。これにより、基板収納ボックス１５０が基板ボックス取付部材６５及び基板ボックス係止部材７８によって入賞玉集合カバー体６０，６１の裏面に装着されたこととなる。そして、この装着された状態においては、基板収納ボックス１５０をｂ方向に引っ張っても下部の係合突起８０と係止穴１５８との係合が外れないことは無論のこと、上部の回動突起１５７と回動支持穴６９との支持が外れることはない。
【００３１】
一方、下部の弾性操作片７９を下方に押圧（ｄ方向）することにより、係合突起８０と係止穴１５８との係合が離れるので、その離れた状態で基板収納ボックス１５０の下部を手前側（ｅ方向）に回動させることにより、基板収納ボックス１５０の下部の係合を解除することができ、そのまま水平方向に回動して回動突起１５７の短径と挿入切欠部７０とを一致させて手前側に引き抜けば、簡単に基板収納ボックス１５０を入賞玉集合カバー体６０，６１から取り外すことができる。
【００３２】
なお、本実施形態においては、回動突起１５７の突設位置が図７及び図８（Ａ）に示すように、水平状態で回動突起１５７を挿入切欠部７０に挿入する際に基板収納ボックス１５０の上面が第２入賞玉集合カバー体６０の上端から突出しない寸法Ｌ７であり、垂直状態で回動突起１５７が回動支持穴６９に支持された状態でも、その側面（上端）が第２入賞玉集合カバー体６０の上端から突出しない寸法Ｌ９であるため、水平状態から垂直状態までの回動時に基板収納ボックス１５０の一部が第２入賞玉集合カバー体６０から上方に突出しないので、第２入賞玉集合カバー体６０の上端に隣接して位置する前記ドラム収納ボックス４７と当接することがない。また、基板収納ボックス１５０から前記副中継基板５１や主中継基板６４に接続される配線のコネクタの接続開口１７５が基板収納ボックス１５０の回動軸支側に位置するため、回動操作時にわざわざコネクタ２０８，２１６をはずしたりしなくても良いと共に、長い配線を使用する必要もないので、遊技盤４０裏面の構成が簡素化される。
【００３３】
また、本実施形態における基板収納ボックス１５０は、上記したように簡単に脱着することができる他に、基板収納ボックス１５０を開放した状態（水平状態）で保持することができる。即ち、図６に示すように、基板収納ボックス１５０を水平よりやや上方にまで回動した状態でボックス係止部材５５の操作突起５８を摘んで後方に回動させて係止爪５６を掛穴１７７に挿入した後操作突起５８から手を離す。すると、係止爪５６と掛穴１７７とが係合した状態となるので、基板収納ボックス１５０から手を離しても、基板収納ボックス１５０がほぼ水平方向に保持されたままの状態となる。このように、本実施形態において基板収納ボックス１５０を水平状態に保持できるようにしたのは、例えば、入賞玉集合カバー体６０，６１の内部で入賞玉が流れないような玉詰まり現象が生じたか否かを確認する場合等の確認作業を行い易くするためである。なお、水平状態の保持を解除するときには、操作突起５８を後方に回動して係止爪５６と掛穴１７７との係合を解除すれば良い。
【００３４】
更に、本実施形態における基板収納ボックス１５０は、遊技盤４０の裏面に止着される入賞玉集合カバー体６０，６１に基板ボックス取付部材６５及び基板ボックス係止部材７８によって回動自在に装着され且つその入賞玉集合カバー体６０，６１の範囲内に設けられているので、遊技盤４０裏面のスペースを有効に利用していると共に、通常時基板収納ボックス１５０で隠されている入賞玉集合カバー体６０，６１の内部状況も水平方向に回動させることにより簡単に見ることができる。特に、本実施形態においては、遊技盤４０のほぼ中央に設けられるドラム状可変表示装置４１の後方突出部であるドラム収納ボックス４７の下端に隣接する位置で基板収納ボックス１５０が回動自在に装着されているので、所定の厚みのある基板収納ボックス１５０をドラム収納ボックス４７の側方に配置した場合に比べて、後述する機構板９０の開閉動作をスムーズに行うことができるものである。
【００３５】
なお、図３乃至図８に示す実施形態では、入賞玉集合カバー体５９，６０，６１を３つに分割形成したものを示したが、これは、遊技盤４０のセンターに配置される遊技装置の後方突出部の大きさに対応して窓孔６２が機種によって異なること、及び可変入賞球装置４２の形状が機種によって異なることを予測して上中下段に分割形成したものであり、すべての機種で一致するアウト口４６を基準とする水平線より下方の遊技盤裏面構造に対して入賞玉集合カバー体６１をすべての機種の共通部品として使用できるようにしたものである。なお、入賞玉集合カバー体６１の分割構造として特に上記した実施形態に限定されるものではなく、例えば、図９に示すように、３つの入賞玉集合カバー体を一体的に形成した一体型入賞玉集合カバー体８９を遊技盤４０の裏面に固着しても良いし、あるいは、第２，第３入賞玉集合カバー体６０，６１を一体的に形成して第１入賞玉集合カバー体５９と組合せた二分割、第１，第２入賞玉集合カバー体５９，６０を一体的に形成して第３入賞玉集合カバー体６１と組合せた二分割の入賞玉集合カバー体であっても良い。
【００３６】
次に、弾球遊技機１の背面に設けられる機構板９０の構成について図２を参照して説明する。図において、機構板９０は、主として賞球を貯留する玉タンク９２と該玉タンク９２に貯留された賞球を下流側に整列しながら誘導する玉整列レール９３とが設けられる上部構成部と、主として入賞に基づく賞球を払い出す賞球払出装置９６が設けられる中間構成部と、主として遊技盤４０に打ち込まれた入賞を含む打玉を処理する処理機構が設けられる下部構成部と、が背面から見てコ字型開口窓９１を構成するように一体的に形成されている。このため、機構板９０を閉じた状態において遊技盤４０の一側辺部が開放された状態となるため、遊技盤４０の裏面構造が前述したように、ドラム収納ボックス４７及び基板収納ボックス１５０を有する複雑なものであっても、機構板９０の開閉動作をスムーズに行うことができる。特に、図示の実施形態では、中間構成部の反対側に上部構成部と下部構成部とを連結する部材が設けられていないが、機構板９０の全体の強度を考えて、上部構成部と下部構成部とを連結する連結部材を設けた場合であっても、厚みのある基板収納ボックス１５０が側方ではなく、ドラム収納ボックス４７の下方に配置され且つコ字型開口窓９１の大きさが基板収納ボックス１５０を完全に貫通する大きさ（入賞玉集合カバー体５９，６０，６１の面積範囲とほぼ同じ）に形成されているので、機構板９０の開閉動作がスムーズに行われる。
【００３７】
そこで、以下、機構板９０の構成について、各構成部毎に簡単に説明する。まず、上部構成部には、多量の賞球を貯留する玉タンク９２と、該玉タンク９２から供給される賞球を複数列（本実施形態の場合、２列）に整列して流下させる玉整列レール９３と、該玉整列レール９３によって誘導された賞球を後述する賞球払出装置９６に向けて方向転換するカーブ樋９４と、該カーブ樋９４の上方に設けられたターミナル基板ボックス１０６がそれぞれ所定の位置に設けられている。ターミナル基板ボックス１０６は、内部にターミナル基板を収納するものであり、そのターミナル基板には、外部からの電源線が接続される電源端子や、外部との信号線が接続される信号端子や、ヒューズ、ランプ等が設けられるものである。
【００３８】
次に、中間構成部の構成について説明する。中間構成部には、その上部に２条の玉通路体９５が止着され、該玉通路体９５の下方に賞球払出装置９６が固着される。より詳細に説明すると、玉通路体９５は、前記カーブ樋９４によって流下方向を左右に変換された２列の賞球を流下させる賞球通路を有し、その賞球通路の上流側に玉切れ検出センサ（図示しない）が臨むようになっている。この玉切れ検出センサは、賞球通路内の賞球の有無を検出するもので、いずれか一方の玉切れ検出センサが賞球を検出しなくなったときには、賞球払出装置９６の賞球モータ９７（ステッピングモータ）の作動を停止して賞球の払出を不能動化させるようになっていると共に前記玉切れＬＥＤ８を点灯するようになっている。なお、玉切れ検出センサは、賞球払出装置９６から２列の賞球通路内の合計玉数が２７〜２８個目となる位置にある賞球を検出する位置に取り付けられている。また、２条の玉通路体９５を必ずしも左右方向に並列状に設ける必要はなく、前後方向に重複状に設けても良い。また、中間構成部の下方に取着される賞球払出装置９６は、直方体状のケースの内部に集約構成されたものであり、賞球モータ９７の回転によりスクリュー部材を回転せしめて賞球を１個づつ払い出すものであり、このため、賞球払出装置９６には、賞球モータ９７と払い出した賞球を検出する玉払出検出器９８を有している。
【００３９】
次に、下部構成部の構成について説明する。下部構成部の前面側（遊技盤４０に当接する側）には、そのほぼ中程に入賞玉集合樋（図示しない）が傾斜状に設けられており、この入賞玉集合樋は、遊技盤４０の可変入賞球装置４２等に入賞した入賞玉を受け止めて入賞玉処理装置１０３に誘導する。入賞玉処理装置１０３は、入賞玉の流下通路の途中に設けられる入賞玉検出器１０４と、該入賞玉検出器１０４の前後で入賞玉を１個ずつ受け止めその後下方に流下せしめる玉止め部材（図示しない）と、該玉止め部材を駆動する入賞玉排出ソレノイド１０５とから構成されているものである。しかして、入賞玉排出ソレノイド１０５がＯＦＦである通常の状態においては、入賞玉が入賞玉検出器１０４によって検出される状態で玉止め部材の下部が入賞玉検出器１０４の下方に突出している。そのような状態で入賞玉が発生して入賞玉が入賞玉検出器１０４によって検出されると、その検出信号が後述する払出制御回路基板用ボックス１０７内に収納される賞球払出制御回路基板に送られ、これにより賞球払出装置９６が駆動制御されて所定個数の賞球の払出動作が行われる。そして、所定個数の賞球の払出が終了したときには、賞球払出制御回路基板から入賞玉排出ソレノイド１０５に駆動信号が送られて入賞玉排出ソレノイド１０５を所定時間ＯＮする。入賞玉排出ソレノイド１０５がＯＮすると、玉止め部材が次の入賞玉の入賞玉検出器１０４への侵入を阻止しながら入賞玉検出器１０４によって検出されていた入賞玉を下流側に開放する。そして、一定時間が経過して入賞玉排出ソレノイド１０５がＯＦＦになると、玉止め部材が再度元の状態に戻って次の入賞玉を入賞玉検出器１０４に受け入れてその入賞玉による賞球の払出動作が行われる。
【００４０】
一方、下部構成部の後面側には、その一側上部に賞球払出通路９９が形成され、該賞球払出通路９９の下端に前記上皿１２に連通する上皿連通口（図示しない）が形成されている。この上皿連通口の一側側方には、連絡通路（図示しない）が接続され、該連絡通路の末端に余剰玉通路１００が接続されている。しかして、入賞に基づく賞球が多数払い出されて上皿１２が賞球で満杯となり、遂には上皿連通口に到達してさらに賞球が払出続けられたときには、賞球は連絡通路を介して余剰玉通路１００に導かれ、その後、図示しない接続樋を介して前記下皿１９に排出される。そして、さらに賞球が払出続けられたときには、下皿１９も満杯になるが、余剰玉通路１００の一側側壁に設けられた満タン検知板１０１部分にまで到達すると、満タン検知板１０１が賞球に押圧されて上端の支軸を中心にして外側に向かって揺動し、これによって満タンスイッチ１０２がＯＮされて、賞球払出装置９６の賞球モータ９７の駆動を停止して賞球の払出動作を不能動化すると共に、必要に応じて打球発射装置１１３の発射装置モータ１１４の駆動も停止される。なお、上述した賞球払出装置９６は、前記カードユニット装置３０からの遊技玉の玉貸要求信号があったときにも所定個数（例えば、２５個／１００円）の遊技玉を払い出すようになっている。
【００４１】
上記したように、賞球を払い出すための各種の機構や各種の制御基板等が装備された機構板９０は、前記カードユニット装置３０側で枠基体３に軸支されて開閉自在に設けられる。即ち、図２に示すように、枠基体３の遊技盤保持枠の一側辺に沿って設けられた軸支金具１０９の上下端に突設される軸支ピン１１０に機構板９０の一側上下に固着される軸受金具１０８を差し込むことにより、開閉自在に設けられ、機構板９０を閉じた状態では、機構板９０の適宜位置に設けられた掛止めレバー１１１を遊技盤保持枠に突設される係止ピンに掛け止めることにより、機構板９０を遊技盤４０の裏面を覆うように枠基体３の裏面に固定することができる。図２中において、符号１１２は、遊技盤４０を遊技盤保持枠の中に収納して固定するための遊技盤係止レバー１１２である。
【００４２】
次に、本実施形態の要部を構成する基板収納ボックス１５０の構成について図１０乃至図２３を参照して説明する。図１０は、実施形態に係る基板収納ボックス１５０の平面図であり、図１１は、基板収納ボックス１５０の分解斜視図であり、図１２は、基板収納ボックス１５０における被覆状態を解除する場合を説明する斜視図であり、図１３は、図１０のＡ−Ａ線で切断した基板収納ボックス１５０の断面図と要部の拡大部分断面図であり、図１４は、係止片１８５を１つで構成した場合の係止片１８５と係合開口１８６との関係を示す拡大断面図であり、図１５は、係止片１８５を２つで構成した場合の係止片１８５と係合開口１８６との関係を示す拡大断面図であり、図１６は、図１７のＡ丸部分の拡大図であり、図１７は、図１０のＡ−Ａ線で切断した基板収納ボックス１５０の断面図であり、図１８は、図１７のＢ丸部分の拡大図であり、図１９は、封印紙１８１の貼着構造を示す断面図であり、図２０は、封印紙１８１を剥したときの平面図であり、図２１は、導電性繊維２３６と合成樹脂２３５の一体化の他の例を示す断面図であり、図２２は、基板収納ボックス１５０の箱体１５１に導電性繊維２３６を一体化させた場合の断面図であ、図２３は、遊技制御回路基板２００を中心として見た場合の弾球遊技機１の配線図である。
【００４３】
しかして、基板収納ボックス１５０は、遊技制御回路基板２００を収納支持する箱体１５１と、該箱体１５１の上面を閉塞する透明カバー体１７０とが組付構成され、そのように組付構成された基板収納ボックス１５０は、前記入賞玉集合カバー体６０，６１の裏面に止着される基板ボックス取付部材６５及び基板ボックス係止部材７８に着脱自在に取り付け得るようになっている。以下、各組付構成部品毎に説明する。
【００４４】
まず、箱体１５１は、上面が開放した直方体状にカーボン粉末を含んだ導電性合成樹脂（金属でも良い）で形成され、その一方の側壁を除く３つの側壁のほぼ中央に内部を視認するための側面開口１５２が形成されている。また、箱体１５１の底面には、比較的大きな長方形状の底面開口１５３が開設されている。また、箱体１５１の底面には、その四隅に止め突起１５５が突設されている。側面開口５２には、係合切欠１５４が連通するように形成されるが、この係合切欠１５４は、透明カバー体１７０を箱体１５１に被覆したときに透明カバー体１７０の裏面に垂下形成される係止垂下片１７９と係合するようになっており、この係合切欠１５４と係止垂下片１７９との係合状態は、通常時に、外部から操作してその係合状態を解除することができるようになっているが、本実施形態においては、箱体１５１の短辺側上縁中央に外側に向かって突設される封印紙貼付突片１５９と透明カバー体１７０の後述する封印紙貼付突片１８１とによって形成される平面に封印紙１８２が貼着され、しかも、封印紙１８２の一部がレーザ技術によって溶着されているので、係合切欠１５４と係止垂下片１７９との係合状態を解除しても箱体１５１と透明カバー体１７０とを分離したときには、封印紙１８２による封印痕１８２ａが残るようになっている。また、止め突起１５５は、遊技制御回路基板２００の四隅を後述するビス１７４，２１１で止着支持するものである。なお、止め突起１５５については、後に詳述する。
【００４５】
また、箱体１５１の底面開口１５３の両側部には、複数の楕円形状の開口１５６が開設されている。この開口１５６は、次に説明する透明内側ボックス１６０によって閉塞されてしまうので、放熱孔としての機能を有さないが、箱体１５１を形成する原材料の軽減に寄与するものである。
【００４６】
更に、箱体１５１の短辺側側壁の一側上部外側に前記第２入賞玉集合カバー体６０に取り付けられる基板ボックス取付部材６５の回動支持穴６９に嵌合される回動突起１５７が突設され、長辺側側壁中央の前記側面開口１５２の下部に前記第３入賞玉集合カバー体６１の基板ボックス係止部材７８の係合突起８０と係合する係止穴１５８が形成され、短辺側上端のほぼ中央に封印紙貼付突片１５９が外側に向かって突設されている。
【００４７】
また、箱体１５１の前記側面開口１５２及び底面開口１５３を閉塞するために透明内側ボックス１６０が箱体１５１の内側から側面及び底面に当接して設けられる。このため、透明内側ボックス１６０の四隅には、間隔保持用取付ボス１６１が突設され、この間隔保持用取付ボス１６１の内部に、図１３（Ａ）に示すように前記止め突起１５５が嵌合挿入されるようになっている。また、透明内側ボックス１６０は、上記したように、側面開口１５２及び底面開口１５３を閉塞するように構成されるため、三方に側壁が突設されるが、その側壁には、前記係合切欠１５４と係止垂下片１７９との係合を邪魔しないように逃げ用切欠１６２が形成されている。なお、透明内側ボックス１６０の内側面（遊技制御回路基板２００と対面する面）には、導電性繊維１６３がその表面側に埋設されている。
【００４８】
ここで、導電性繊維について簡単に説明すると、導電性繊維は、大きく分けて金属製（銅、黄銅、ニッケル、アルミニューム等）のフィラメントを網状に織ったものと、合成繊維に導電性粒子（銅、カーボン等）を塗布又は含浸させたものと、があり、いずれの種類の導電性繊維においても、電磁シールド効果及び光線透過率の見地から、５０〜２５０メッシュ（特に、１００〜２００メッシュがよい）程度で、その開口率１０〜９０％（特に、３０〜８０％がよい）であることが望ましい。そして、メッシュという構造上、どうしても透過視認性が悪くなるが、これを抑制するために、導電性繊維を金属色を避けた濃色（例えば、黒色）にしたり、あるいは、透明合成樹脂に埋設して使用するときには、その透明合成樹脂を濃色とすることにより、透過視認性を向上させることができる。
【００４９】
しかして、箱体１５１の底面及び側面を導電性繊維１６３を埋設した透明内側ボックス１６０で閉塞することにより、遊技制御回路基板２００のうちの第２回路基板２０２の実装面と第１回路基板２０１及び第２回路基板２０２の裏面（実装面と反対側のハンダ面）が外部から透視し得ることとなり、仮に第２回路基板２０２の実装面と各回路基板２０１，２０２のハンダ面に不正な工作（例えば、ジャンパー配線を接続したり、不正電子部品を実装したりする不正工作）をした場合には、直ちにわかるようになっている。この意味で、透明内側ボックス１６０によって閉塞される側面開口１５２及び底面開口１５３の大きさは、基板収納ボックス１５０を傾けながら内部の全域が見える程度の大きさがあれば十分である。
【００５０】
一方、上記した箱体１５１の上面を閉塞する透明カバー体１７０は、透明な合成樹脂に導電性繊維１９７を埋設して一体的に成形されるもので、その長手方向の他側辺部が下方向に曲折された仕切片１７１となっている。この仕切片１７１の位置は、透明カバー体１７０を箱体１５１に装着したときに図１０に示すように、遊技制御回路基板２００のコネクタ実装領域２０７が外部に現れる接続開口１７５を形成するような位置で曲折される。これにより、箱体１５１に透明カバー体１７０を組付構成した状態で接続開口１７５に臨むコネクタ２０８，２１６に外部からの配線を接続することができる。また、仕切片１７１の一端部寄りには、止め穴１７３を有する止着片１７２が突設され、透明カバー体１７０を箱体１５１に被覆したときには、遊技制御回路基板２００を挟持する状態で止着片１７２の止め穴１７３が前記止め突起１５５及び間隔保持用取付ボス１６１に対応してビス１７４で止着するようになっている。この止着構造については、後に詳述する。
【００５１】
ところで、透明カバー体１７０に埋設される導電性繊維１９７は、図１６に示すように、透明カバー体１７０の内側表面に近い部分に埋設されている。このため、導電性繊維１９７と透明合成樹脂とを一体成型して透明カバー体１７０を製造したときには、網状の導電性繊維１９７の目開き部Ｌ１で窪みが形成されて透明カバー体１７０の内側表面を凹凸状の波面となる。このような波面は、透明カバー体１７０の内側表面に侵入した光を乱反射させるので、細かいメッシュ状の導電性繊維１９７によって通常の透明状態に比べて透過視認性の悪い構成の中にあって、内側表面を平滑状に形成した場合に比べて、より内部が透視し易くなるという効果を奏するものである。
【００５２】
また、透明カバー体１７０の表面の後述する分離カバー体部１８３を除く領域には、内部で発生した熱を外部に放出するための放熱孔１７６が多数形成されていると共に、その一側部に後述する確率設定キー２１３が臨むキー貫通穴１８０と、そのほぼ中央に前記ボックス係止部材５５の係止爪５６と係合する掛穴１７７がそれぞれ形成されている。放熱孔１７６には、透明カバー体１７０と一体的に形成される導電性繊維１９７がそのまま存在することとなるが、導電性繊維１９７が網状となっているので、通気性が確保されているばかりでなく、導電性繊維１９７によって放熱孔１７６より小さいゴミや塵等の侵入を防止することもできる。なお、キー貫通穴１８０と掛穴１７７とには、導電性繊維１９７が取り除かれている。更に、透明カバー体１７０の長辺方向端縁及び短辺方向端縁には、箱体１５１の側壁上端縁と係合する掛止部１７８が適宜間隔を置いて２個ずつ突設され、該掛止部１７８の間の透明カバー体１７０には、下方に向かって垂下される係止垂下片１７９が形成されている。係止垂下片１７９には、先端に爪部１７９ａが形成され、この爪部１７９ａが箱体１５１の前記係合切欠１５４に係合するようになっている。
【００５３】
また、透明カバー体１７０の短辺側中央に封印紙貼付突片１８１突設されている。この封印紙貼付突片１８１は、箱体１５１の前記封印紙貼付突片１５９の凹部に係合して同一平面となるようになっており、その封印紙貼付突片１５９，１８１の境目に封印紙１８２が貼付される。しかして、封印紙１８２が封印紙貼付突片１５９，１８１に貼付された後、図１９に示すように、封印紙１８２のほぼ中央付近をレーザ発振器２３１によってレーザ光２３２を照射することにより、その照射部分の封印紙１８２が封印紙貼付突片１５９，１８１の境目部分に溶着するので、無理やり封印紙１８２を剥したときには、図２０に示すように、溶着部分が境目に残留して封印痕１８２ａとなり、封印紙１８２の中央に穴が開いた状態で剥し取られる。このため、封印紙１８２が不正に剥されたか否かが容易に分かる。なお、レーザ光２３２による封印痕１８２ａは、境目に形成されるので、これをさらに剥すとどうしても痕跡が残ることになり、不正行為の発見を極めて容易に行うことができる。また、封印痕１８２ａとして文字等をレーザ光２３２で描くことも可能である。なお、封印紙１８２は、紙製のものに限らず合成樹脂製やビニール製のものであっても良い。
【００５４】
透明カバー体１７０の構成は、概ね上記した構成であるが、この透明カバー体１７０を箱体１５１に被覆する前に遊技制御回路基板２００を箱体１５１側に固定しておかなければならない。そこで、本実施形態に係る遊技制御回路基板２００の構造について説明すると、本実施形態に係る遊技制御回路基板２００は、２枚のプリント配線基板によって構成される回路基板２０１，２０２がその実装面を背中合わせにして積層的に支持固定されるものである。
【００５５】
しかして、透明カバー体１７０に近い第１回路基板２０１は、その上面がＲＯＭ２０３、ＲＡＭ２０４、ＣＰＵ２０５等の主要な電子部品が実装された実装面とされ、その実装面の大部分が電子部品実装領域２０６として使用され、後方の一部がコネクタ２０８が実装されるコネクタ実装領域２０７とされる。上記した電子部品実装領域２０６には、上記した電子部品以外にも、遊技盤４０に設けられるドラム式可変表示装置４１の大当り図柄の出現確率を設定するための確率設定キー２１３が設けられると共に、設定値を表示するための確率表示ＬＥＤ２１４も実装されている。また、第１回路基板２０１には、その下面に第２回路基板２０２と電気的に接続するためのジョイントコネクタ２１２が実装されている。なお、第１回路基板２０１のコネクタ実装領域２０７の一部が切欠部２０９となって、その切欠部２０９から下方に位置する第２回路基板２０２のコネクタ２１６が臨む用になっている。更に、第１回路基板２０１の四隅には、取付穴２１０が穿設されており、その取付穴２１０に電気的に接続されるように第１回路基板２０１の両面側の周囲にグランドライン導電部２２０（図１８参照）がパターン印刷されている。
【００５６】
一方、透明内側ボックス１６０に近い第２回路基板２０２は、その透明内側ボックス１６０の対面する側に電源回路２１８等の電子部品が実装され、その裏面側（第１回路基板２０１と対面する側）に前記ジョイントコネクタ２１２に対応するジョイントコネクタ２１７と前記切欠部２０９に対応する位置にコネクタ２１６が実装されている。また、第２回路基板２０２の四隅にも取付穴２１９が穿設されており、その取付穴２１９に電気的に接続されるように第２回路基板２０２の両面側の周囲にグランドライン導電部２２０（図１８参照）がパターン印刷されている。
【００５７】
上記した第１回路基板２０１と第２回路基板２０２とからなる遊技制御回路基板２００を止着する構造について説明すると、まず、第１回路基板２０１と第２回路基板２０２とを相互のジョイントコネクタ２１２，２１７で接続すると共に、２枚の回路基板２０１，２０２の間であって前記取付穴２１０，２１９の対応する位置に金属製スペーサ２１５を挟持し、そのままの状態で透明内側ボックス１６０が装着された箱体１５１の間隔保持用取付ボス１６１に取付穴２１９，２１０を一致させ、その一致させたうち、３か所を上方からビス２１１を螺着して箱体１５１の止め突起１５５に止着する。そして、その後、透明カバー体１７０を被覆して係止垂下片１７９と係合切欠１５４とを係合させ、止着片１７２の止め穴１７３にビス１７４を螺着して箱体１５１の止め突起１５５に止着する。
【００５８】
しかして、このビス１７４で止着したときには、図１８に示すように、透明カバー体１７０の内側表面近くに埋設された導電性繊維１９７と第１回路基板２０１の上面のグランドライン導電部２２０とが電気的に導通し、また、第１回路基板２０１の下面のグランドライン導電部２２０と第２回路基板２０２の上面のグランドライン導電部２２０とが金属製スペーサ２１５で導通し、更に、第２回路基板２０２の下面のグランドライン導電部２２０と間隔保持用取付ボス１６１の表面に形成される導電性繊維１６３とが導通し、しかも、グランドライン導電部２２０が金属製のビス１７４でカーボン含有の導電性樹脂で成形される箱体１５１の止め突起１５５に止着されているので、導電性繊維１９７，１６３及びグラインドライン導電部２２０に拾われたノイズ電流は、すべて箱体１５１を介してアースされる。そして、ビス１７４が止着される間隔保持用取付ボス１６１だけに導電性繊維１６３を形成した場合には、このアース構造を有する位置が、図１７に示すように、遊技制御回路基板２００のＲＯＭ２０３等から離れた位置に構成されているため、誤動作を起し易い電子部品へのノイズ電流の流れを抑制することができる。また、上記したように回路基板２０１，２０２は、互いに電子部品の実装面が外向きとなるように背中合わせ状態で取り付けられているため、不正電子部品が発見が容易であり、不正工作があったか否かを容易に理解することができる。
【００５９】
ところで、透明カバー体１７０には、分離カバー体部１８３が形成されている。この分離カバー体部１８３の構成について主として図１０乃至図１５を参照しながら以下詳細に説明する。分離カバー体部１８３は、長方形状であって第１回路基板２０１に実装されるＲＯＭ２０３の上方部分の対応する位置に設けられ、その長手方向の適宜箇所に２個ずつブリッジ状に掛け渡される連結突部１８４によって透明カバー体１７０と分離カバー体部１８３とが一体的に形成（本実施形態では、合成樹脂による一体成形）されている。そして、連結突部１８４を、例えばニッパ等の工具を用いて切断することにより、分離カバー体部１８３を透明カバー体１７０から完全に分離することができるようになっている。
【００６０】
また、分離カバー体部１８３の四辺の各辺には、先端に爪部を有する係止片１８５が上方向に向かって突設されている。この係止片１８５は、サンプル検査時等に前記連結突部１８４を切断して分離カバー体部１８３を分離してＲＯＭ２０３を検査した後に、再度分離カバー体部１８３を裏返して透明カバー体１７０に装着する際に使用するものである。しかして、本実施形態における係止片１８５は、背中合わせに一対の突片として形成され、先端の爪部が互いに外向きとなっている。もちろん、外側（分離カバー体部１８３の端縁に沿った側）の係止片１８５の１つだけでもよいが、後述するように１つの係止片１８５だけでは、その係止片１８５を破壊しなくても係合状態を解除することができる可能性があるので、好適な例とは言えない。なお、内側の係止片１８５の基部には、その係止片１８５を合成樹脂で一体成形するための爪形成用開口１８８が形成されている。
【００６１】
また、連結突部１８４を切断して分離カバー体部１８３を分離したときには、透明カバー体１７０に長方形状の分離開口縁１８７が形成されることとなるが、この分離開口縁１８７の適宜箇所には、分離カバー体部１８３を裏返して装着したときに、前記係止片１８５と係合する係合開口１８６が形成され、その係合開口１８６に対応する分離カバー体部１８３には、係合開口１８６を合成樹脂で一体成形するための係合開口形成用切欠１８９が形成されている。また、分離カバー体部１８３を裏返して装着する際に、その装着方向が容易に理解できるように、分離カバー体部１８３に位置合せ凹部１９０が、透明カバー体１７０に位置合せ凸部１９１がそれぞれ一側に形成されている。更に、透明カバー体１７０の分離開口縁１８７に沿って補強用の内部リブ１９２が下方に向かって突設されており、この内部リブ１９２を利用して前記係合開口１８６が形成されている。また、分離カバー体部１８３の内側表面には、導電性繊維１９７が埋設されているが、この導電性繊維１９７が分離カバー体部１８３の全域に一体形成されているわけではなく、前記ＲＯＭ２０３に対応する位置には、導電性繊維１９７が一体形成されていない空白領域１９６とされている。なお、分離カバー体部１８３の導電性繊維１９７は、初期の状態において連結突部１８４内の導電性繊維１９７を介して透明カバー体１７０の全域に形成される導電性繊維１９７に導通しているし、また、空白領域１９６として、ＲＯＭ２０３に対応する位置だけでなく、他の電子部品（例えば、ＣＰＵやＲＡＭ等）に対応する位置に設けても良い。
【００６２】
また、分離カバー体部１８３と透明カバー体１７０とが連結突部１８４によって連結された初期の連結状態において、透明カバー体１７０の内側面に分離カバー体部１８３と透明カバー体１７０との間に掛け渡されるように予め内側封印シール１９３が貼付されている。このように内側封印シール１９３を貼付することにより、分離カバー体部１８３を分離した後に、再度係止片１８５と係合開口１８６とによって被覆状態を復元してもその内側封印シール１９３の貼付状態を復元することはできないので、少なくとも分離カバー体部１８３が一度は、その被覆状態が解除されたことが理解できるものである。なお、前記分離開口縁１８７の内側封印シール１９３が貼付される部分が蛇行状開口縁部１８７ａとなっているが、これは、分離開口縁１８７からカッターナイフ等を差し込んで巧妙に内側封印シール１９３を切断できないようにするためである。また、連結突部１８４を切断して分離カバー体部１８３を一度透明カバー体１７０から分離したときには、内側封印シール１９３の封印痕１９４が分離カバー体部１８３に残るので、巧妙に連結突部１８４を切断して不正行為を行った後、再度切断した連結突部１８４を接着剤等で接着しても封印痕１９４によって不正行為があったか否かを知ることができる。
【００６３】
上記のように構成される基板収納ボックス１５０においては、箱体１５１と透明カバー体１７０とが封印紙１８２によって溶着封印されているので、箱体１５１と透明カバー体１７０とを分離して遊技制御回路基板２００の被覆状態を解除することは不可能である。しかして、その被覆状態を解除しようと思えば、連結突部１８４をニッパ等の工具で切断して分離カバー体部１８３を透明カバー体１７０から分離させてＲＯＭ２０３を臨ませなければならない。しかしながら、このように連結突部１８４を切断したときには、その切断したことにより、連結突部１８４が無くなるので、その点からだけでも遊技制御回路基板２００のＲＯＭ２０３に不正な処理を施したか否かがわかる。
【００６４】
なお、遊技場においては、監督官庁によりパチンコ島台に列設されるパチンコ遊技機１の中から１台又は２台程度抜き出してＲＯＭ２０３の検査（サンプル抽出検査）を行う場合がある。このようなサンプル抽出検査を行う場合には、図１２（Ａ）及び図１３（Ｂ）に示すように、連結突部１８４をニッパ等で切断して分離カバー体部１８３を分離せしめてＲＯＭ２０３を露出せしめ、そのＲＯＭ２０３を引き抜いて調査した後、再度ＲＯＭ２０３を遊技制御回路基板２００に実装し、その後、図１２（Ｂ）及び図１３（Ｃ）に示すように、分離カバー体部１８３を裏返して係止片１８５を係合開口１８６に係合させて分離カバー体部１８３を透明カバー体１７０に装着する。
【００６５】
この装着構造についてより詳細に説明すると、図１４（Ａ）に示すように、１つの係止片１８５ａを係合開口１８６ａの係合部に係合させる場合には、透明カバー体１７０と分離カバー体部１８３との隙間から不正ピン２３０を差し込んで係止片１８５を弾性変形させることにより、係止片１８５と係合開口１８６の係合部との係合状態を解除させ、その状態で図１４（Ｂ）に示すように、分離カバー体部１８３を引き出すことにより、係止片１８５部分を破壊することなく被覆状態を解除することができる可能性がある。これに対し、本実施形態のように、係止片１８５が背中合わせの一対の突片から構成されている場合には、図１５（Ａ）に示すように、透明カバー体１７０と分離カバー体部１８３との間に微小な隙間Ｌ１が左右にあったとしても、図１５（Ｂ）に示すように一方の隙間Ｌ１から不正ピン２３０を差し込んで隙間の間隔をＬ２に広げて係合状態を解除しても、他方の隙間Ｌ１は、限りなく０に近い隙間Ｌ３となって不正ピン２３０を挿入することができなくなるので、他方の係止片１８５と係合開口１８６との係合状態を解除することができず、結局、左右の係止片１８５の係合状態を同時に解除することができないので、係止片１８５と係合開口１８６とに基づく被覆状態を解除することは、ほとんど不可能である。したがって、この被覆状態を解除するためには、少なくとも係止片１８５を破壊しなければならず、係止片１８５を破壊したときには、その痕跡が残り、その痕跡に基づいて遊技制御回路基板２００のＲＯＭ２０３に不正な処理を施したか否かがわかる。なお、上記した実施形態では、分離カバー体部１８３を分離後、裏返して固着しているが、これに限らず、分離カバー体部１８３の内側面に係止片１８５を形成し、分離後、裏返すことなく１８０度回転して固着するようにしても良い。この場合、当初から係止片１８５は、外側面に突出していないため不可抗力により係止片１８５をひっかけて破損するようなことがない利点を有する。
【００６６】
また、上記のように分離カバー体部１８３を裏返して装着した状態で遊技制御回路基板２００は、再度被覆された状態となり、この被覆状態を保証するために、検査を行った監督官庁が発行する検査済封印紙１９５を分離カバー体部１８３と透明カバー体１７０との間を掛け渡すように貼付すれば良い。
【００６７】
なお、以上説明した基板収納ボックス１５０においては、導電性繊維１９７を合成樹脂の表面近くに埋設したものを示したが、図２１（Ａ）に示すように、合成樹脂材２３５の表面外側に導電性繊維２３６を貼付したものでも良いし、あるいは図２１（Ｂ）に示すように、導電性繊維２３６を合成樹脂材２３５の表面近くに埋設したものの導電性繊維２３６側に他の合成樹脂材２３５を張り付けて全体として合成樹脂材２３５のほぼ中央に導電性繊維２３６が位置するように構成したものでも良い。もちろん、図２１（Ｂ）の例のように２つの合成樹脂材２３５を張り付けるのではなく、最初から導電性繊維２３６を合成樹脂材２３５の中央に位置するように成型しても良い。
【００６８】
また、上記した実施形態においては、透明カバー体１７０及び透明内側ボックス１６０に導電性繊維１９７，１６３を一体化せしめたものについて説明したが、少なくとも透明カバー体１７０の一部に導電性繊維１９７が一体化してあれば良い。逆に、例えば、図２２に示すように、箱体１５１を透明な合成樹脂材で構成する場合には、導電性繊維２３６を合成樹脂材５１ａ，５１ｂで挟持するように構成しても良い。このように構成することにより透明内側ボックス１６０を省略することができる。
【００６９】
なお、遊技制御回路基板２００の第１回路基板２０１及び第２回路基板２０２に形成される回路は、図２３に示す用になっている。即ち、上方の第１回路基板２０１には、ＣＰＵ２０５，ＲＡＭ２０４，ＲＯＭ２０３等からなる基本回路２４０、初期リセット回路２４１、定期リセット回路２４２、アドレスデコード回路２４３、情報出力回路２４４、ランプ・ＬＥＤ回路２４５、スイッチ入力回路２４６、ソレノイド回路２４７、表示制御回路２４８、複数のコネクタ２０８がその表面側に形成又は実装されると共に、ジョイントコネクタ２１２が裏面に実装される。また、下方の第２回路基板２０２には、その表面側（前記透明内側ボックス１６０の底面と対面する側）に電源回路２１８が形成されると共に、音声合成回路２４９、音量増幅回路２５０、賞球個数信号出力回路２５１が形成又は実装され、その裏面側に複数のコネクタ２１６とジョイントコネクタ２１７が実装されている。なお、本実施形態においては、上記のように遊技制御の中心をなすＣＰＵ２０５，ＲＡＭ２０４，ＲＯＭ２０３等の主要電子部品を透明カバー体１７０に近い表側に設け、電源回路２１８や音声合成回路２４９等の制御の中心をなさない電子部品を透明内側ボックス１６０に近い裏側に設けたので、不正工作され易いＣＰＵ２０５，ＲＡＭ２０４，ＲＯＭ２０３等の主要電子部品を弾球遊技機１に取り付けた状態で見やすくすることにより、不正をより発見し易くしているものである。
【００７０】
第１回路基板２０１の情報出力回路２４４、ランプ・ＬＥＤ回路２４５、スイッチ入力回路２４６、ソレノイド回路２４７は、コネクタ２０８から主中継基板６４を介して遊技盤４０に設けられる電気部品６ａ，６ｂ、７、７２，７４，７５，７６等と接続され、表示制御回路２４８は、コネクタ２０８から副中継基板５１を介してドラム状可変表示装置４１の電気部品４９，５０等に接続される。また、第２回路基板２０２の音声合成回路２４９及び音量増幅回路２５０は、コネクタ２１６から装飾制御基板１１６に接続されてスピーカ１０ａ，１０ｂの効果音を制御し、賞球個数信号出力回路２５１は、コネクタ２１６から賞球払出制御回路基板１０７に接続され、電源回路２１８には、ターミナル基板１０６からの電源配線がコネクタ２１６によって接続されている。なお、装飾制御基板１１６によって制御される対象としてスピーカ１０ａ，１０ｂの他に装飾蛍光灯６ａ，６ｂや装飾ＬＥＤ７を対象としても良い。これらを専用の装飾制御基板１７６で制御することにより、より複雑な駆動制御を行うことができる。
【００７１】
以上、実施形態に係る基板収納ボックス１５０を備えた弾球遊技機１について説明してきたが、本実施形態によれば、基板収納ボックス１５０に収納された遊技制御回路基板２００が複数に分割構成２０１，２０２されてジョイントコネクタ２１２，２１７で接続されると共に、その平面面積が分割されないときの平面面積に比して小さくなるように構成される一方、前記基板収納ボックス１５０には、前記複数に分割構成された各回路基板２０１，２０２の実装面を外部から視認できる透視部１７０，１５２，１５３が形成されているので、回路基板２０１，２０２を小さく分割構成した分、基板収納ボックス１５０を小型化できて弾球遊技機１の背面への取り付けが容易となり、また、分割形成された各回路基板２０１，２０２の実装面がそれぞれ透明カバー体１７０、側面開口１５２の透明内側ボックス１６０、及び底面開口１５３の透明内側ボックス１６０を介して視認し得るので、不正工作があったか否かを容易に見極めることができる。更に、従来と同じ大きさの基板収納ボックスを使用する場合には、回路基板を大きく形成することができるため、多数の電子部品を実装することができて複雑な制御を行うこともできるという利点もある。
【００７２】
また、前記基板収納ボックス１５０は、合成樹脂により形成されると共に前記透視部１７０，１５２，１５３を導電性繊維１９７，１６３が一体形成された透過性合成樹脂１６０により形成することにより、多数の透視部１７０，１５２，１５３を設けても、電磁シールド効果を有効に確保することができる。
【００７３】
更に、前記基板収納ボックス１５０は、弾球遊技機１に対して一側を回動支持穴６９と回動突起１５７とで軸支して回動自在に取り付けられると共に、回動前の第１の状態時において分割形成された第１回路基板２０１の主要電子部品の実装面を前記透視部としての透明カバー体１７０から視認することができ、前記第１の状態から回動した第２の状態時においても分割形成された他の第２回路基板２０２の主要電子部品の実装面及び第１回路基板２０１と第２回路基板２０２の裏面を前記透視部としての開口１５３，１５２から透明内側ボックス１６０を介して視認することが可能なように構成することにより、基板収納ボックス１５０を弾球遊技機１に取り付けたままで内部を視認することができる。
【００７４】
なお、上記した実施形態（第１実施形態）においては、基板収納ボックス１５０に収納される回路基板２０１，２０２を上下２段に積層的に設けたものを示したが、図２４に示すように、第１実施形態と同じように、箱体１５１ａ、透明内側ボックス１６０ａ、及び透明カバー体１７０で被覆される基板収納ボックス１５０ａの内部に１枚の第１回路基板２６０を止着固定し、その第１回路基板２６０の表面にコネクタ２６１を介して電子部品２７３が実装されるサブボード基板２７２を立設し、第１回路基板２６０の裏面に電源回路２１８ａを実装した基板収納ボックス１５０ａでも良い。このような基板収納ボックス１５０ａでも第１実施形態に係る基板収納ボックス１５０ａとほぼ同じ効果を奏することができる。
【図面の簡単な説明】
【００７５】
【図１】実施形態に係る弾球遊技機の正面図である。
【図２】弾球遊技機の背面図である。
【図３】遊技盤の背面から見た斜視図である。
【図４】遊技盤の背面図である。
【図５】遊技盤背面に取り付けられる遊技制御基板ボックスの取付状態を示す断面図である。
【図６】遊技制御基板ボックスとその上部の可変表示装置との関係を示す断面図である。
【図７】遊技制御基板ボックスを回動自在に支持する構造を示す側面図である。
【図８】遊技制御基板ボックスの装着状態と装着状態を解除する動作を示す側面図である。
【図９】図３に示す遊技盤と一部異なる構成要素を含んだ遊技盤の背面から見た斜視図である。
【図１０】実施形態に係る基板収納ボックスの平面図である。
【図１１】基板収納ボックスの分解斜視図である。
【図１２】基板収納ボックスにおける被覆状態を解除する場合を説明する斜視図である。
【図１３】図１０のＡ−Ａ線で切断した基板収納ボックスの断面図と要部の拡大部分断面図である。
【図１４】係止片を１つで構成した場合の係止片と係合開口との関係を示す拡大断面図である。
【図１５】係止片を２つで構成した場合の係止片と係合開口との関係を示す拡大断面図である。
【図１６】図１７のＡ丸部分の拡大図である。
【図１７】図１０のＡ−Ａ線で切断した基板収納ボックスの断面図である。
【図１８】図１７のＢ丸部分の拡大図である。
【図１９】封印紙の貼着構造を示す断面図である。
【図２０】封印紙を剥したときの平面図である。
【図２１】導電性繊維と合成樹脂の一体化の他の例を示す断面図である。
【図２２】基板収納ボックスの箱体に導電性繊維を一体化させた場合の断面図である。
【図２３】遊技制御回路基板を中心として見た場合の配線図である。
【図２４】基板収納ボックスに収納される回路基板の他の例を示す断面図である。
【符号の説明】
【００７６】
１  パチンコ遊技機（遊技機）
６９  回動支持穴
１５０  基板収納ボックス
１５２  側面開口（透視部）
１５３  底面開口（透視部）
１５７  回動突起
１６０  透明内側ボックス（透視部）
１６３  導電性繊維
１９７  導電性繊維
２００  遊技制御回路基板（回路基板）
２０１  第１回路基板
２０２  第２回路基板
２１２  ジョイントコネクタ
２１７  ジョイントコネクタ